(57)【要約】【課題】親子健康調査支援システムの利用を促すインセンティブをユーザに提供する。【解決手段】親子健康調査支援システムは、ユーザを構成員とする家族の親及び子どもの少なくともいずれかの健康調査に使用される健康調査データを管理するデータ管理部と、健康調査データの入力によるユーザの健康調査の貢献の程度を表すレベルを算出するレベル算出部と、健康調査データの入力に伴って、レベルに対応する利益であるインセンティブをユーザに提供するインセンティブ提供部と、健康調査データに対するアクセス権限を管理するアクセス制御部と、健康調査データを用いた分析処理の分析結果を提供する分析結果提供部と、を備える。【選択図】図１
2022000745.tif 000002
【特許請求の範囲】
【請求項１】
ユーザが保持する複数の端末と、前記複数の端末と接続する、少なくとも一つの計算機と、を備える親子健康調査支援システムであって、
前記少なくとも一つの計算機は、演算装置及び前記演算装置に接続される記憶装置を有し、
前記親子健康調査支援システムは、
前記ユーザを構成員とする家族の親及び子どもの少なくともいずれかの健康調査に使用される健康調査データを管理するデータ管理部と、
前記健康調査データの入力による前記ユーザの健康調査の貢献の程度を表すレベルを算出するレベル算出部と、
前記健康調査データの入力に伴って、前記端末を介して、前記レベルに対応する利益である第１インセンティブを前記ユーザに提供するインセンティブ提供部と、
前記健康調査データに対するアクセス権限を管理するアクセス制御部と、
前記健康調査データを用いた分析処理の分析結果を提供する分析結果提供部と、
を備え、
前記アクセス制御部は、サービスを提供する提供者の属性に基づいて、前記提供者に付与する前記アクセス権限を決定することを特徴とする親子健康調査支援システム。
【請求項２】
請求項１に記載の親子健康調査支援システムであって、
前記インセンティブ提供部は、前記分析結果に基づいて、前記親及び前記子どものいずれかの健康改善に有用な付加情報を生成し、前記付加情報を第２インセンティブとして提供することを特徴とする親子健康調査支援システム。
【請求項３】
請求項２に記載の親子健康調査支援システムであって、
前記インセンティブ提供部は、
前記分析結果に運動不足を指摘する情報が含まれる場合、前記分析結果の生成に用いた前記健康調査データを送信した前記端末を使用する前記ユーザの居住地及び当該居住地のイベントを特定し、
前記居住地及び前記イベントに基づいて生成されるウォーキングの経路を提示する前記付加情報を生成することを特徴とする親子健康調査支援システム。
【請求項４】
請求項２に記載の親子健康調査支援システムであって、
前記インセンティブ提供部は、前記分析結果に栄養素の不足を指摘する情報が含まれる場合、前記栄養素の不足を改善するための前記サービスを提示する前記付加情報を生成することを特徴とする親子健康調査支援システム。
【請求項５】
請求項４に記載の親子健康調査支援システムであって、
前記インセンティブ提供部は、
前記分析結果の生成に用いた前記健康調査データを送信した前記端末を使用する前記ユーザの居住地において、前記栄養素の不足を改善するためのサービスを利用可能な場所を特定し、
前記栄養素の不足を改善するためのサービス及び前記特定された場所を提示する前記付加情報を生成することを特徴とする親子健康調査支援システム。
【請求項６】
請求項１に記載の親子健康調査支援システムであって、
前記分析結果提供部は、外出に関する前記健康調査データに基づいて算出されたビタミンＤの保有量の推定値を含む前記分析結果を提供することを特徴とする親子健康調査支援システム。
【請求項７】
請求項１に記載の親子健康調査支援システムであって、
前記レベル算出部は、前記健康調査データの入力回数に基づいて、前記レベルを算出することを特徴とする親子健康調査支援システム。
【請求項８】
請求項１に記載の親子健康調査支援システムであって、
前記レベル算出部は、前記健康調査データの内容に基づいて、前記レベルを算出することを特徴とする親子健康調査支援システム。
【請求項９】
ユーザが保持する複数の端末が接続される親子健康調査支援装置であって、
前記ユーザを構成員とする家族の親及び子どもの少なくともいずれかの健康調査に使用される健康調査データを管理するデータ管理部と、
前記健康調査データの入力による前記ユーザの健康調査の貢献の程度を表すレベルを算出するレベル算出部と、
前記健康調査データの入力に伴って、前記端末を介して、前記レベルに対応する利益である第１インセンティブを前記ユーザに提供するインセンティブ提供部と、
前記健康調査データに対するアクセス権限を管理するアクセス制御部と、
前記健康調査データを用いた分析処理の分析結果を提供する分析結果提供部と、
を備え、
前記アクセス制御部は、サービスを提供する提供者の属性に基づいて、前記提供者に付与する前記アクセス権限を決定することを特徴とする親子健康調査支援装置。
【請求項１０】
請求項９に記載の親子健康調査支援装置であって、
前記インセンティブ提供部は、前記分析結果に基づいて、前記親及び前記子どものいずれかの健康改善に有用な付加情報を生成し、前記付加情報を第２インセンティブとして提供することを特徴とする親子健康調査支援装置。
【請求項１１】
ユーザが保持する複数の端末と、前記複数の端末と接続する、少なくとも一つの計算機とを含む親子健康調査支援システムが実行するデータ処理方法であって、
前記少なくとも一つの計算機は、演算装置及び前記演算装置に接続された記憶装置を有し、
前記親子健康調査支援システムは、前記ユーザを構成員とする家族の親及び子どもの少なくともいずれかの健康調査に使用される健康調査データを管理し、
前記データ処理方法は、
前記少なくとも一つの計算機が、前記健康調査データの入力に伴って、前記健康調査データの入力による前記ユーザの健康調査の貢献の程度を表すレベルを算出する第１のステップと、
前記少なくとも一つの計算機が、前記レベルに対応する利益である第１インセンティブを前記ユーザに提供する第２のステップと、
前記少なくとも一つの計算機が、サービスを提供する提供者の属性を含む登録要求を受信した場合、当該属性に基づいて、前記健康調査データに対する前記提供者のアクセス権限を決定する第３のステップと、
前記少なくとも一つの計算機が、前記健康調査データを用いた分析処理の分析結果を前記ユーザに提供する第４のステップと、
を含むことを特徴とするデータ処理方法。
【請求項１２】
請求項１１に記載のデータ処理方法であって、
前記第４のステップは、
前記少なくとも一つの計算機が、前記分析結果に基づいて、前記親及び前記子どものいずれかの健康改善に有用な付加情報を生成するステップと、
前記少なくとも一つの計算機が、前記付加情報を第２インセンティブとして前記端末に送信するステップと、を含むことを特徴とするデータ処理方法。
【発明の詳細な説明】
【技術分野】
【０００１】
本発明は、親子の健康調査を支援する技術に関する。
【背景技術】
【０００２】
子どもの健全な発育を手助けすることなどを目的に、妊娠中から産後の母親と子どもの生活習慣や健康状態を調査するコホート研究が実施されはじめている。疾患等の因果を調査するコホート研究等に利用されるシステムでは、調査及び分析等と平行して、生活改善のためのアドバイスがユーザに提示される（例えば特許文献１を参照）。
【０００３】
特許文献１には「健康情報管理システムは、まず監視対象者の登録情報を監視対象者情報記憶部１５１に登録する。次に前記登録情報に基づいて健康レベルを設定し、前記健康レベルに応じて計測され監視ユニットより送信された生体情報を生体情報記憶部１５３に記憶する。そして、前記生体情報記憶部１５３に記憶された生体情報に基づいて監視対象者の異常判断処理を実行し、その異常判断に応じてアドバイス情報を監視対象者に対して提示する処理を実行する」ことが記載されている。
【先行技術文献】
【特許文献】
【０００４】
【特許文献１】特開２００３−３１０５６０号公報
【発明の概要】
【発明が解決しようとする課題】
【０００５】
子どもの健全な発育の支援を目的として、親及び子どもの各々の生活習慣及び健康状態を取得し、分析するシステムがある。従来のシステムでは、アンケート回答等のデータの入力から分析結果のフィードバックまでには時間を要していた。また、システム導入の初期段階では十分な知見が得られていないため確度の高いフィードバックを提供しにくい。
【０００６】
したがって、ユーザにとってはシステムの利用のメリットが感じられないため、システムの利用の動機付けが高まらないという課題があった。そのため、新規ユーザの利用及び既存ユーザの継続的な利用を促すことが難しい場合がある。
【０００７】
本発明では、親子の健康を調査するシステムの利用を促すメリットをユーザに提供する仕組みを実現することを目的とする。
【課題を解決するための手段】
【０００８】
本願において開示される発明の代表的な一例を示せば以下の通りである。すなわち、ユーザが保持する複数の端末と、前記複数の端末と接続する、少なくとも一つの計算機と、を備える親子健康調査支援システムであって、前記少なくとも一つの計算機は、演算装置及び前記演算装置に接続される記憶装置を有し、前記親子健康調査支援システムは、前記ユーザを構成員とする家族の親及び子どもの少なくともいずれかの健康調査に使用される健康調査データを管理するデータ管理部と、前記健康調査データの入力による前記ユーザの健康調査の貢献の程度を表すレベルを算出するレベル算出部と、前記健康調査データの入力に伴って、前記端末を介して、前記レベルに対応する利益である第１インセンティブを前記ユーザに提供するインセンティブ提供部と、前記健康調査データに対するアクセス権限を管理するアクセス制御部と、前記健康調査データを用いた分析処理の分析結果を提供する分析結果提供部と、を備え、前記アクセス制御部は、サービスを提供する提供者の属性に基づいて、前記提供者に付与する前記アクセス権限を決定する。
【発明の効果】
【０００９】
本発明によれば、ユーザは親子健康調査支援システムの利用に伴うインセンティブ（利益）を享受できるため、当該システムの利用を促すことができる。上記した以外の課題、構成及び効果は、以下の実施例の説明により明らかにされる。
【図面の簡単な説明】
【００１０】
【図１】実施例１の親子健康調査支援システムを含むシステム全体の構成の一例を示す図である。
【図２】実施例１の親子健康調査支援システムのハードウェア構成の一例を示す図である。
【図３】実施例１の協力者管理ＤＢのデータ構造の一例を示す図である。
【図４】実施例１の健康調査データ管理ＤＢのデータ構造の一例を示す図である。
【図５】実施例１のテキスト管理ＤＢのデータ構造の一例を示す図である。
【図６】実施例１のサービス提供者管理ＤＢのデータ構造の一例を示す図である。
【図７】実施例１のサービス管理ＤＢのデータ構造の一例を示す図である。
【図８】実施例１のインセンティブ管理ＤＢのデータ構造の一例を示す図である。
【図９】実施例１の親子健康調査支援システムが実行する入力画面提示処理の一例を示す図である。
【図１０】実施例１のモバイル端末に表示されるデータ入力画面の一例を示す図である。
【図１１】実施例１の親子健康調査支援システムが実行する健康調査データ受信処理の一例を説明するフローチャートである。
【図１２】実施例１の親子健康調査支援システムが実行するテキストデータ受信処理の一例を説明するフローチャートである。
【図１３】実施例１の親子健康調査支援システムが実行するサービス提供者登録処理の一例を説明するフローチャートである。
【図１４】実施例１のシステムに提示される登録画面の一例を示す図である。
【図１５】実施例１の親子健康調査支援システムが実行するサービス登録処理の一例を説明するフローチャートである。
【図１６】実施例１のシステムに提示される登録画面の一例を示す図である。
【図１７】実施例１の親子健康調査支援システムが実行する健康調査データアクセス制御処理の一例を説明するフローチャートである。
【図１８】実施例１の親子健康調査支援システムが実行する分析結果受信処理の一例を説明するフローチャートである。
【発明を実施するための形態】
【００１１】
以下、本発明の実施例を、図面を用いて説明する。ただし、本発明は以下に示す実施例の記載内容に限定して解釈されるものではない。本発明の思想ないし趣旨から逸脱しない範囲で、その具体的構成を変更し得ることは当業者であれば容易に理解される。以下に説明する発明の構成において、同一又は類似する構成又は機能には同一の符号を付し、重複する説明は省略する。本明細書等における「第１」、「第２」、「第３」等の表記は、構成要素を識別するために付するものであり、必ずしも、数又は順序を限定するものではない。図面等において示す各構成の位置、大きさ、形状、及び範囲等は、発明の理解を容易にするため、実際の位置、大きさ、形状、及び範囲等を表していない場合がある。したがって、本発明では、図面等に開示された位置、大きさ、形状、及び範囲等に限定されない。
【実施例１】
【００１２】
図１は、実施例１の親子健康調査支援システムを含むシステム全体の構成の一例を示す図である。図２は、実施例１の親子健康調査支援システムのハードウェア構成の一例を示す図である。
【００１３】
親子健康調査支援システム１００は、ユーザが使用するモバイル端末１０１と接続する。また、親子健康調査支援システム１００は、サービスを提供するサービス提供者のシステム１０２と接続する。なお、図１では親子健康調査支援システム１００に接続されるモバイル端末１０１は一つであるが、実際は複数のモバイル端末１０１が接続される。
【００１４】
親子健康調査支援システム１００及びモバイル端末１０１の間は、ＷＡＮ（Ｗｉｄｅ  Ａｒｅａ  Ｎｅｔｗｏｒｋ）及びＬＡＮ（Ｌｏｃａｌ  Ａｒｅａ  ｎｅｔｗｏｒｋ）等のネットワークを介して接続される。ネットワークの接続方式は、有線及び無線のいずれでもよい。また、親子健康調査支援システム１００及びシステム１０２の間は、ネットワークを介して接続される。
【００１５】
なお、親子健康調査支援システム１００及びモバイル端末１０１は直接接続されてもよい。また、親子健康調査支援システム１００及びシステム１０２は直接接続されてもよい。
【００１６】
モバイル端末１０１はスマートフォン等の端末である。ユーザは、モバイル端末１０１を用いて、アンケートの回答、テキスト、及び生体情報等を入力する。以下の説明では、親及び子どものいずれかの健康状態を把握するためのアンケート回答、テキスト、及び生体情報を健康調査データとも記載する。また、ユーザは、モバイル端末１０１を介して、分析結果及びアドバイス等、健康調査データの入力に対するフィードバックを受ける。
【００１７】
なお、モバイル端末１０１の代わりに、パーソナルコンピュータ及び双方向テレビジョン等を用いてもよい。
【００１８】
サービス提供者は、研究機関、自治体、及び一般企業等を含む。研究機関は、健康調査データを用いた分析を行い、分析結果、及び分析結果に基づくアドバイスを提供する。自治体は、健康調査データを用いた行政サービスを提供する。一般企業は、健康改善に役立つ商品又は情報の提供等のサービスを提供する。なお、研究機関が一般企業と同様のサービスを提供してもよいし、自治体及び一般企業が健康調査データを用いた分析を行ってよい。
【００１９】
親子健康調査支援システム１００は、健康調査データの蓄積及び提供、並びに、分析結果及びアドバイスの提供を行う。親子健康調査支援システム１００は、図２に示すように、少なくとも一つの計算機２００から構成される。
【００２０】
計算機２００は、ＣＰＵ２０１、ネットワークインタフェース２０２、メモリ２０３、及び記憶装置２０４を有する。各ハードウェアはバスを介して互いに接続される。なお、計算機２００は、キーボード、マウス、及びタッチパネル等の入力装置、並びに、ディスプレイ等の出力装置を有してよい。
【００２１】
ＣＰＵ２０１はメモリ２０３に格納されるプログラムを実行する。ＣＰＵ２０１がプログラムにしたがって処理を実行することによって、特定の機能を実現する機能部（モジュール）として動作する。以下の説明では、機能部を主語に処理を説明する場合、ＣＰＵ２０１が当該機能部を実現するプログラムを実行していることを示す。
【００２２】
ネットワークインタフェース２０２は、ネットワークを介して外部装置と通信するためのインタフェースである。
【００２３】
メモリ２０３は、ＣＰＵ２０１が実行するプログラム及びプログラムが使用する情報を格納する。メモリ２０３は、プログラムが一時的に使用するワークエリアとしても用いられる。記憶装置２０４は永続的に情報を格納する。記憶装置２０４は、例えば、ＨＤＤ（Ｈａｒｄ  Ｄｉｓｋ  Ｄｒｉｖｅ）及びＳＳＤ（Ｓｏｌｉｄ  Ｓｔａｔｅ  Ｄｒｉｖｅ）等である。
【００２４】
メモリ２０３は、レベル算出部１１０、インセンティブ提供部１１１、分析結果提供部１１２、アクセス制御部１１３、及び表示部１１４を実現するプログラムを格納する。記憶装置２０４は、協力者管理ＤＢ１２０、健康調査データ管理ＤＢ１２１、テキスト管理ＤＢ１２２、サービス提供者管理ＤＢ１２３、サービス管理ＤＢ１２４、及びインセンティブ管理ＤＢ１２５を格納する。
【００２５】
レベル算出部１１０は、健康調査データの入力によるユーザの健康調査の貢献の程度を示すインセンティブレベルを算出する。レベル算出部１１０はインセンティブ提供部１１１にインセンティブレベルを入力する。
【００２６】
分析結果提供部１１２は、分析結果及びアドバイスの少なくともいずれかをユーザに提供する。また、分析結果提供部１１２は、分析結果及びアドバイスをインセンティブ提供部１１１に入力する。
【００２７】
インセンティブ提供部１１１は、ユーザに対してインセンティブを提供する。ここで、インセンティブとは健康調査データの入力、すなわち、健康調査への参加を動機付ける利益である。分析結果及びアドバイスもインセンティブの一例である。
【００２８】
本実施例では、親子健康調査支援システム１００が、段階的に、分析結果及びアドバイスとは別にインセンティブを提供する。具体的には、親子健康調査支援システム１００は、健康調査データの入力時に第１インセンティブを提供し、分析結果の受信時に第２インセンティブを提供する。これによって、健康調査への新規の参加及び健康調査の継続的な参加を促すことができる。
【００２９】
アクセス制御部１１３はデータベースへのアクセスを制御する。また、アクセス制御部１１３は、サービス提供者が提供するサービスの種別に基づいてデータベースに対するアクセス権限を設定する。
【００３０】
表示部１１４は、モバイル端末１０１に各種情報を表示するための表示情報を生成する。
【００３１】
なお、親子健康調査支援システム１００は、前述したデータベースとは他に、権限変換情報及び適用キー変換情報を保持する。権限変換情報は、サービス種別及びアクセス権限が関連付けられたレコードを格納する。適用キー変換情報は、適用条件及び適用キーが関連付けられたレコードを格納する。ここで、適用キーは提供するインセンティブを指定するキーである。
【００３２】
次に、図３から図８を用いてデータベースの詳細について説明する。
【００３３】
図３は、実施例１の協力者管理ＤＢ１２０のデータ構造の一例を示す図である。
【００３４】
協力者管理ＤＢ１２０は、健康調査に参加するユーザ（協力者）に関する情報を格納する。協力者管理ＤＢ１２０は、例えば、図３に示すレコードを複数格納する。一つのレコードが一人のユーザに対応する。
【００３５】
レコードは、ユーザＩＤ３０１、氏名３０２、端末ＩＤ３０３、住所３０４、及び連携情報３０５を含む。
【００３６】
ユーザＩＤ３０１は、ユーザを一意に識別するための識別情報を格納するフィールドである。氏名３０２は、ユーザの氏名を格納するフィールドである。端末ＩＤ３０３は、ユーザが使用するモバイル端末１０１の識別情報を格納するフィールドである。なお、子どものレコードの端末ＩＤ３０３には、親が使用するモバイル端末１０１の識別情報が格納されてもよいし、また、空欄でもよい。住所３０４は、ユーザの居住地の住所を格納するフィールドである。
【００３７】
連携情報３０５は、ユーザと何らかの関係性を有する他のユーザの情報を格納するフィールドである。連携情報３０５には、他のユーザの識別情報（ユーザＩＤ）及び連携種別から構成される行が格納される。ここで、連携種別はユーザ間の関係性を示す。例えば、「配偶者」、「親」、「子」、「友人」、「コミュニティ」等が連携種別として設定される。「コミュニティ」は、ＳＮＳ（Ｓｏｃｉａｌ  Ｎｅｔｗｏｒｋｉｎｇ  Ｓｅｒｖｉｃｅ）上の知り合いを表す。これら協力者管理ＤＢ１２０に格納する情報は、当然、ユーザの同意を得た上で取得し、セキュリティ等に留意して管理することはいうまでもない。
【００３８】
図４は、実施例１の健康調査データ管理ＤＢ１２１のデータ構造の一例を示す図である。
【００３９】
健康調査データ管理ＤＢ１２１は、親子健康調査支援システム１００が受信した健康調査データを格納する。健康調査データ管理ＤＢ１２１は、例えば、図４に示すレコードを複数格納する。一つのレコードが一つの健康調査データに対応する。
【００４０】
レコードは、データＩＤ４０１、ユーザＩＤ４０２、タイムスタンプ４０３、データ種別４０４、及びデータ４０５を含む。
【００４１】
データＩＤ４０１は、健康調査データを一意に識別するための識別情報を格納するフィールドである。ユーザＩＤ４０２は、健康調査データを入力したユーザの識別情報を格納するフィールドである。タイムスタンプ４０３は、健康調査データが入力された日時を格納するフィールドである。
【００４２】
データ種別４０４は、健康調査データの種別を格納するフィールドである。データ種別４０４には、「アンケート回答」、「生体情報（便）」、「生体情報（母乳）」、及び「生体情報（血液）」等が格納される。データ４０５は、健康調査データを格納するフィールドである。
【００４３】
図５は、実施例１のテキスト管理ＤＢ１２２のデータ構造の一例を示す図である。
【００４４】
テキスト管理ＤＢ１２２は、健康調査データとともに、又は、健康調査データとは別に入力されたテキストを格納する。テキスト管理ＤＢ１２２は、例えば、図５に示すレコードを複数格納する。一つのレコードが一つのテキストに対応する。
【００４５】
レコードは、データＩＤ５０１、ユーザＩＤ５０２、タイムスタンプ５０３、及びテキスト５０４を含む。
【００４６】
データＩＤ５０１は、テキストを一意に識別するための識別情報を格納するフィールドである。ユーザＩＤ５０２は、テキストを入力したユーザの識別情報を格納するフィールドである。タイムスタンプ５０３は、テキストが入力された日時を格納するフィールドである。テキスト５０４は、テキストを格納するフィールドである。
【００４７】
図６は、実施例１のサービス提供者管理ＤＢ１２３のデータ構造の一例を示す図である。
【００４８】
サービス提供者管理ＤＢ１２３は、サービス提供者に関する情報を格納する。サービス提供者管理ＤＢ１２３は、例えば、図６に示すレコードを複数格納する。一つのレコードが一人のサービス提供者に対応する。なお、サービス提供者は企業に置き換えてもよい。
【００４９】
レコードは、提供者ＩＤ６０１、名称６０２、サービス種別６０３、及びアクセス権限６０４を含む。
【００５０】
提供者ＩＤ６０１は、サービス提供者を一意に識別するための識別情報を格納するフィールドである。名称６０２は、サービス提供者の名称を格納するフィールドである。名称６０２には、例えば、研究機関、企業、自治体、及び学校の名称が格納される。サービス種別６０３は、サービス提供者が提供するサービスの種別を格納するフィールドである。サービス種別６０３には、例えば、「分析」、「商品の販売」、「食事の提供」、「献立の提供」、及び「気象情報の提供」等が格納される。
【００５１】
アクセス権限６０４は、サービス提供者に対して設定されたアクセス権限を格納するフィールドである。アクセス権限６０４には、例えば、アクセス可能なデータベース及びアクセスレベルを組み合わせたデータが格納される。アクセスレベルは、アクセス可能な項目を示す。例えば、全ての項目にアクセスできるレベル、個人を特定可能な項目以外の項目にアクセスできるレベル等である。
【００５２】
なお、ユーザ間の健康調査データ等へのアクセス制御には連携種別が用いられる。例えば、連携種別が「コミュニティ」であるユーザからのアクセスに対しては、個人を特定可能な項目以外の項目にのみアクセスできるように制御される。
【００５３】
図７は、実施例１のサービス管理ＤＢ１２４のデータ構造の一例を示す図である。
【００５４】
サービス管理ＤＢ１２４は、サービス提供者が提供するサービスに関する情報を格納する。サービス管理ＤＢ１２４は、例えば、図７に示すレコードを複数格納する。一つのレコードが一つのサービスに対応する。
【００５５】
レコードは、サービスＩＤ７０１、提供者ＩＤ７０２、サービス内容７０３、及び適用キー７０４を含む。
【００５６】
サービスＩＤ７０１は、サービスを一意に識別するための識別情報を格納するフィールドである。提供者ＩＤ７０２は、サービス提供者の識別情報を格納するフィールドである。サービス内容７０３は、サービスの具体的な内容を格納するフィールドである。例えば、商品又はサービスの名称、及び提供場所等が格納される。適用キー７０４は、適用キーを格納するフィールドである。なお、一つのサービスに対して複数の適用キーが関連付けられてもよい。
【００５７】
図８は、実施例１のインセンティブ管理ＤＢ１２５のデータ構造の一例を示す図である。
【００５８】
インセンティブ管理ＤＢ１２５は、インセンティブの提供を制御するための情報を格納する。インセンティブ管理ＤＢ１２５は、例えば、図８に示すレコードを複数格納する。一つのレコードが一つのインセンティブの提供を制御するための情報に対応する。
【００５９】
レコードは、インセンティブＩＤ８０１、適用キー８０２、及びプログラム８０３を含む。
【００６０】
インセンティブＩＤ８０１は、提供するインセンティブを一意に識別するための識別情報を格納するフィールドである。適用キー８０２は、適用キーを格納するフィールドである。プログラム８０３は、インセンティブを提供するための各種処理を実行するプログラムを格納するフィールドである。本実施例では、提供するインセンティブの種別に応じてプログラムが用意されている。
【００６１】
次に、親子健康調査支援システム１００が実行する処理について説明する。
【００６２】
図９は、実施例１の親子健康調査支援システム１００が実行する入力画面提示処理の一例を示す図である。図１０は、実施例１のモバイル端末１０１に表示されるデータ入力画面の一例を示す図である。
【００６３】
まず、図１０を用いて、モバイル端末１０１に表示されるデータ入力画面１０００について説明する。
【００６４】
データ入力画面１０００は、データ入力欄１００１、認知ユーザ表示欄１００２、未認知ユーザ表示欄１００３を含む。
【００６５】
データ入力欄１００１は、親子健康調査支援システム１００に送信するデータを入力するための欄であり、健康調査データ欄１０１０、テキスト欄１０１１、及び送信ボタン１０１２を含む。健康調査データ欄１０１０は、健康調査データを入力する欄である。テキスト欄１０１１は、楽しかった事象、ユーザの行動、訪れた場所、共感、及び不便な事柄等をテキストとして入力する欄である。送信ボタン１０１２は、健康調査データ欄１０１０及びテキスト欄１０１１のいずれかに入力されたデータを親子健康調査支援システム１００に送信するための操作ボタンである。
【００６６】
認知ユーザ表示欄１００２は、直接コンタクト可能な他ユーザ（認知ユーザ）の情報を表示する欄である。認知ユーザ表示欄１００２には、ユーザのＩＤ及び氏名を表示する表が表示される。
【００６７】
未認知ユーザ表示欄１００３は、現段階では直接コンタクトできない他ユーザ（未認知ユーザ）であって、ユーザと何らかの関連性を有する他のユーザの情報を表示する欄である。未認知ユーザ表示欄１００３には、ユーザのＩＤ及び氏名又はニックネームを表示する表が表示される。
【００６８】
次に、図９を用いて、親子健康調査支援システム１００がデータ入力画面１０００を表示するための処理について説明する。
【００６９】
親子健康調査支援システム１００は、モバイル端末１０１から、ユーザＩＤを含む表示要求を受信した場合、入力画面提示処理を開始する。
【００７０】
表示部１１４は、協力者管理ＤＢ１２０に基づいて、認知ユーザを特定する（ステップＳ１０１）。具体的には、以下のような処理が実行される。
【００７１】
表示部１１４は、ユーザＩＤを含む氏名取得要求をアクセス制御部１１３に出力する。
【００７２】
アクセス制御部１１３は、協力者管理ＤＢ１２０から、ユーザＩＤ３０１に、氏名取得要求に含まれるユーザＩＤが設定されたレコードを検索する。アクセス制御部１１３は、検索されたレコードの連携情報３０５の各行のユーザＩＤを取得する。アクセス制御部１１３は、ユーザＩＤ３０１に、取得されたユーザＩＤが設定されたレコードを検索し、検索されたレコードの氏名３０２の値を取得する。アクセス制御部１１３は、ユーザＩＤ及び氏名を関連付けたデータを表示部１１４に出力する。
【００７３】
表示部１１４は、アクセス制御部１１３から入力されたデータに基づいて、認知ユーザ表示情報を生成する。以上がステップＳ１０１の処理の説明である。
【００７４】
表示部１１４は、テキスト管理ＤＢ１２２に基づいて、未認知ユーザを特定する（ステップＳ１０２）。具体的には以下のような処理が実行される。
【００７５】
表示部１１４は、ユーザＩＤを含むテキスト取得要求をアクセス制御部１１３に出力する。
【００７６】
アクセス制御部１１３は、テキスト管理ＤＢ１２２から、ユーザＩＤ５０２に、テキスト取得要求に含まれるユーザＩＤが設定されたレコードを検索する。アクセス制御部１１３は、検索されたレコードのテキスト５０４に格納されるテキストを読み出し、読み出されたテキストを表示部１１４に出力する。このとき、現在から一定期間前の時間範囲に含まれるレコードのテキストのみを送信してもよい。
【００７７】
表示部１１４は、読み出されたテキストに対してテキスト分析を実行して、マッチングキーワードを抽出する。時間、場所、人、感情等の各項目のマッチングキーワードが抽出される。テキスト分析は公知の技術を用いればよいため、詳細な説明は省略する。表示部１１４は、マッチングキーワードを含むレコード検索要求をアクセス制御部１１３に出力する。
【００７８】
アクセス制御部１１３は、テキスト管理ＤＢ１２２の各レコードのテキスト５０４を参照して、マッチングキーワードを含むテキストを格納するレコードを検索する。このとき、アクセス制御部１１３は、現在から一定期間前の時間範囲に含まれるレコード群を検索対象としてもよい。アクセス制御部１１３は、検索されたレコードを表示部１１４に出力する。
【００７９】
表示部１１４は、受信したレコードをユーザ毎にまとめ、各ユーザのレコード群のテキストを用いて、各ユーザの関連スコアを算出する。例えば、表示部１１４は、一人のユーザの各レコードのマッチングキーワードの出現回数を算出し、当該出現回数の合計値を関連スコアとして算出する。表示部１１４は、関連スコアが閾値より大きいユーザを未認知ユーザとして特定する。表示部１１４は、未認知ユーザのＩＤを含む氏名取得要求をアクセス制御部１１３に出力する。
【００８０】
アクセス制御部１１３は、協力者管理ＤＢ１２０から、ユーザＩＤ３０１に、氏名取得要求に含まれるユーザＩＤが設定されたレコードを検索し、検索されたレコードの氏名３０２の値を取得する。アクセス制御部１１３は、ユーザＩＤ及び氏名を関連付けたデータを表示部１１４に出力する。
【００８１】
表示部１１４は、アクセス制御部１１３から入力されたデータに基づいて、未認知ユーザ表示情報を生成する。なお、関連スコアの大きい順に未認知ユーザが表示されるような未認知表示情報が生成されるものとする。以上がステップＳ１０２の処理の説明である。
【００８２】
表示部１１４は、健康調査データ欄１０１０を表示するための表示情報を生成し、当該表示情報、認知ユーザ表示情報、及び未認知ユーザ表示情報をまとめて、画像情報としてモバイル端末１０１に送信する（ステップＳ１０３）。その後、表示部１１４は、入力画面提示処理を終了する。
【００８３】
モバイル端末１０１は、画像情報に基づいて、図１０に示すデータ入力画面１０００をディスプレイに表示する。
【００８４】
ユーザは、未認知ユーザ表示欄１００３を参照して、未認知ユーザとコンタクトをとり、認知ユーザの登録を行う。
【００８５】
例えば、ユーザは、モバイル端末１０１のディスプレイに参加用のコードを表示し、未認知ユーザは、モバイル端末１０１のカメラを用いてコードを読み込むことによって、親子健康調査支援システム１００に認知ユーザ登録用要求を送信する。なお、連携種別に応じてコードが異なるものとする。また、登録要求には、ユーザ及び未認知ユーザのＩＤと、コードに対応する連携種別とが含まれる。この場合、アクセス制御部１１３は、協力者管理ＤＢ１２０から、ユーザＩＤ３０１に、登録要求に含まれるユーザＩＤが設定されたレコードを検索し、検索されたレコードの連携情報３０５に行を追加する。アクセス制御部１１３は、追加された行に、登録要求に含まれる連携種別を設定し、また、登録要求に含まれる未認知ユーザのＩＤを設定する。
【００８６】
このように、ユーザ間のコンタクトを促進することによって、地域活動の活性化が期待される。また、ユーザ間のコンタクトの場所を提供することによって、親子健康調査支援システム１００の新規の利用及び継続的な利用を促進できる。
【００８７】
図１１は、実施例１の親子健康調査支援システム１００が実行する健康調査データ受信処理の一例を説明するフローチャートである。
【００８８】
親子健康調査支援システム１００は、モバイル端末１０１から、モバイル端末１０１のＩＤとともに健康調査データを受信した場合、健康調査データ受信処理を開始する。
【００８９】
インセンティブ提供部１１１は、アクセス制御部１１３を介して健康調査データを健康調査データ管理ＤＢ１２１に格納する（ステップＳ２０１）。具体的には、以下のような処理が実行される。
【００９０】
インセンティブ提供部１１１は、健康調査データのデータ種別を特定する。例えば、健康調査データの拡張子、データ形式、及びデータの内容のいずれかに基づいてデータ種別が特定される。インセンティブ提供部１１１は、モバイル端末１０１のＩＤ、健康調査データ、及びデータ種別を含む登録要求をアクセス制御部１１３に出力する。
【００９１】
アクセス制御部１１３は、協力者管理ＤＢ１２０を参照し、端末ＩＤ３０３に、登録要求に含まれるモバイル端末１０１のＩＤが設定されたレコードを検索する。アクセス制御部１１３は、検索されたレコードのユーザＩＤ３０１の値を取得する。
【００９２】
アクセス制御部１１３は、健康調査データ管理ＤＢ１２１にレコードを追加し、追加されたレコードのデータＩＤ４０１に識別情報を設定する。アクセス制御部１１３は、追加されたレコードのユーザＩＤ４０２に取得されたユーザＩＤを設定し、データ種別４０４に登録要求に含まれるデータ種別を設定し、また、データ４０５に健康調査データを設定する。また、アクセス制御部１１３は、追加されたレコードのタイムスタンプ４０３に現在の時刻を設定する。なお、健康調査データにタイムスタンプが付与されている場合、タイムスタンプ４０３には当該タイムスタンプが設定される。
【００９３】
アクセス制御部１１３は、ユーザＩＤを応答としてインセンティブ提供部１１１に出力する。以上が、ステップＳ２０２の処理の説明である。
【００９４】
インセンティブ提供部１１１は、適用キー変換情報を参照して、健康調査データの受信に対応する適用キーを取得し（ステップＳ２０２）、ユーザＩＤを含むインセンティブレベル算出要求をレベル算出部１１０に出力する。
【００９５】
レベル算出部１１０は、健康調査データを送信したモバイル端末１０１を使用するユーザのインセンティブレベルを算出する（ステップＳ２０３）。例えば、以下のような処理が実行される。
【００９６】
レベル算出部１１０は、ユーザＩＤを含む健康調査データの検索要求をアクセス制御部１１３に出力する。
【００９７】
アクセス制御部１１３は、健康調査データ管理ＤＢ１２１を参照し、ユーザＩＤ４０２に、検索要求に含まれるユーザＩＤが設定されたレコードを検索する。アクセス制御部１１３は、検索されたレコードをレベル算出部１１０に出力する。
【００９８】
レベル算出部１１０は、アクセス制御部１１３から取得したレコードに基づいてインセンティブレベルを算出し、当該インセンティブレベルをインセンティブ提供部１１１に出力する。例えば、以下のような算出方法が考えられる。
【００９９】
（算出方法１）レベル算出部１１０は、レコードの数（健康調査データの入力回数）に基づいてインセンティブレベルを算出する。例えば、レベル算出部１１０は、レコードの数とインセンティブレベルを対応付けた変換情報を参照して、受信したレコード数をインセンティブレベルに変換する。
【０１００】
（算出方法２）レベル算出部１１０は、健康調査データの内容を分析し、分析結果に基づいてスコアを算出する。レベル算出部１１０は、各健康調査データのスコアの合計値をインセンティブレベルとして算出する。
【０１０１】
なお、前述した以外の算出方法でもよい。例えば、レベル算出部１１０は、連携情報３０５に含まれる行の数を考慮してインセンティブレベルを算出してよい。以上がステップＳ２０３の処理の説明である。
【０１０２】
インセンティブ提供部１１１は、インセンティブ決定処理を実行する（ステップＳ２０４）。具体的には、以下のような処理が実行される。
【０１０３】
インセンティブ提供部１１１は、インセンティブ管理ＤＢ１２５を参照し、適用キー８０２に、取得した適用キーが設定されたレコードを検索する。インセンティブ提供部１１１は、検索されたレコードのプログラム８０３に格納されるプログラムに、インセンティブレベルを含む起動指示を出力する。
【０１０４】
起動指示を受け付けたプログラムは、インセンティブレベルに基づいて提供するインセンティブを選択する。例えば、インセンティブレベルに応じた、クーポン、ポイント、商品引換券、電子マネー等がインセンティブとして選択される。当該プログラムは、選択されたインセンティブをインセンティブ提供部１１１に出力する。以上がステップＳ２０４の処理の説明である。
【０１０５】
インセンティブ提供部１１１は、健康調査データの送信元のモバイル端末１０１に、インセンティブを送信する（ステップＳ２０５）。その後、インセンティブ提供部１１１は健康調査データ受信処理を終了する。
【０１０６】
健康調査データの分析には時間を要するため、健康調査データの入力から分析結果の提供までにはタイムラグがある。このタイムラグは、新規ユーザの利用及び既存ユーザの継続的な利用が促進されない原因の一つである。本実施例の親子健康調査支援システム１００は、健康調査データの入力時に、これまでの健康調査に対する貢献度（インセンティブレベル）に応じたインセンティブを提供する。これによって、新規ユーザの利用及び既存ユーザの継続的な利用を促進することができる。
【０１０７】
なお、インセンティブは、親子健康調査支援システム１００の管理者又は管理者が属する組織により提供されるものでもよいし、サービス提供者により提供されるものでもよい。
【０１０８】
図１２は、実施例１の親子健康調査支援システム１００が実行するテキストデータ受信処理の一例を説明するフローチャートである。
【０１０９】
親子健康調査支援システム１００は、モバイル端末１０１から、モバイル端末１０１のＩＤとともにテキストデータを受信した場合、テキストデータ受信処理を開始する。
【０１１０】
アクセス制御部１１３は、テキスト管理ＤＢ１２２に、テキストデータを格納する（ステップＳ３０１）。その後、アクセス制御部１１３はテキストデータ受信処理を終了する。具体的には、以下のような処理が実行される。
【０１１１】
アクセス制御部１１３は、協力者管理ＤＢ１２０を参照し、端末ＩＤ３０３に、受信したモバイル端末１０１のＩＤが設定されたレコードを検索する。アクセス制御部１１３は、検索されたレコードのユーザＩＤ３０１の値を取得する。
【０１１２】
アクセス制御部１１３は、テキスト管理ＤＢ１２２にレコードを追加し、追加されたレコードのデータＩＤ５０１に識別情報を設定する。アクセス制御部１１３は、追加されたレコードのユーザＩＤ５０２に取得したユーザＩＤを設定し、テキスト５０４に受信したテキストデータを設定する。アクセス制御部１１３は、追加されたレコードのタイムスタンプ５０３に現在の時刻を設定する。なお、テキストデータにタイムスタンプが付与されている場合、タイムスタンプ５０３には当該タイムスタンプが設定される。
【０１１３】
図１３は、実施例１の親子健康調査支援システム１００が実行するサービス提供者登録処理の一例を説明するフローチャートである。図１４は、実施例１のシステム１０２に提示される登録画面の一例を示す図である。
【０１１４】
親子健康調査支援システム１００は、システム１０２からサービス提供者の登録要求を受信した場合、サービス提供者登録処理を開始する。
【０１１５】
表示部１１４は、システム１０２に登録画面を提示する（ステップＳ４０１）。システム１０２には図１４に示すような登録画面１４００が提示される。
【０１１６】
登録画面１４００は、名称欄１４０１、サービス種別欄１４０２、及び登録ボタン１４０３を含む。名称欄１４０１は、サービス提供者の名称を入力する欄である。サービス種別欄１４０２は、サービス種別を入力する欄である。サービス種別欄１４０２は、サービス提供者が直接値を入力してもよいし、プルダウンメニューから選択してもよい。登録ボタン１４０３は、サービス提供者登録情報を送信するための操作ボタンである。
【０１１７】
アクセス制御部１１３は、システム１０２からサービス提供者登録情報を受信する（ステップＳ４０２）。
【０１１８】
アクセス制御部１１３は、サービス提供者のサービス種別に基づいてアクセス権限を決定する（ステップＳ４０３）。
【０１１９】
具体的には、アクセス制御部１１３は、サービス種別に基づいて権限変換情報を参照することによって、サービス提供者のアクセス権限を決定する。
【０１２０】
アクセス制御部１１３は、サービス提供者登録情報及び決定されたアクセス権限に基づいてサービス提供者管理ＤＢ１２３を更新する（ステップＳ４０４）。その後、アクセス制御部１１３はサービス提供者登録処理を終了する。
【０１２１】
具体的には、アクセス制御部１１３は、サービス提供者管理ＤＢ１２３にレコードを追加し、追加されたレコードの提供者ＩＤ６０１に識別情報を設定する。アクセス制御部１１３は、追加されたレコードの名称６０２及びサービス種別６０３に、サービス提供者登録情報に含まれる値を設定する。また、アクセス制御部１１３は、追加されたレコードのアクセス権限６０４に、決定されたアクセス権限を設定する。
【０１２２】
なお、アクセス制御部１１３は、提供者ＩＤ６０１に設定された識別情報をシステム１０２に通知してもよい。
【０１２３】
図１５は、実施例１の親子健康調査支援システム１００が実行するサービス登録処理の一例を説明するフローチャートである。図１６は、実施例１のシステム１０２に提示される登録画面の一例を示す図である。
【０１２４】
親子健康調査支援システム１００は、システム１０２からサービスの登録要求を受信した場合、サービス登録処理を開始する。
【０１２５】
表示部１１４は、システム１０２に登録画面を提示する（ステップＳ５０１）。システム１０２には図１６に示すような登録画面１６００が提示される。
【０１２６】
登録画面１６００は、サービス内容欄１６０１、条件欄１６０２、及び登録ボタン１６０３を含む。サービス内容欄１６０１は、サービスの具体的な内容を入力する欄である。条件欄１６０２は、サービスの提供条件を入力する欄である。本実施例では、分析結果の内容がサービスの提供条件として入力される。例えば、「栄養素Ａの不足」が提供条件として入力される。なお、条件欄１６０２は、サービス提供者が直接値を入力してもよいし、プルダウンメニューから選択してもよい。登録ボタン１６０３は、サービス登録情報を送信するための操作ボタンである。システム１０２は、サービス提供者の名称又は識別情報とともに、サービス登録情報を親子健康調査支援システム１００に送信する。
【０１２７】
なお、サービス内容欄１６０１が分析である場合、条件欄１６０２は空欄でもよい。
【０１２８】
アクセス制御部１１３は、システム１０２からサービス登録情報を受信する（ステップＳ５０２）。
【０１２９】
このとき、アクセス制御部１１３は、サービス提供者管理ＤＢ１２３を参照し、サービス提供者が登録されているか否かを判定してもよい。サービス提供者管理ＤＢ１２３にサービス提供者が登録されていない場合、アクセス制御部１１３はエラーを通知する。
【０１３０】
アクセス制御部１１３は、サービス登録情報に含まれる提供条件に基づいて、適用キーを決定する（ステップＳ５０３）。
【０１３１】
具体的には、アクセス制御部１１３は、提供条件に基づいて適用キー変換情報を参照することによって、適用キーを決定する。
【０１３２】
アクセス制御部１１３は、サービス登録情報及び決定された適用キーに基づいてサービス管理ＤＢ１２４を更新する（ステップＳ５０４）。その後、アクセス制御部１１３はサービス登録処理を終了する。
【０１３３】
具体的には、アクセス制御部１１３は、サービス管理ＤＢ１２４にレコードを追加し、追加されたレコードのサービスＩＤ７０１に識別情報を設定する。アクセス制御部１１３は、追加されたレコードの提供者ＩＤ７０２にサービス提供者の識別情報を設定し、また、サービス内容７０３にサービス登録情報に含まれる値を設定する。また、アクセス制御部１１３は、追加されたレコードの適用キー７０４に、決定された適用キーを設定する。
【０１３４】
図１５では第２インセンティブとして提供するサービスの登録について説明したが、第１インセンティブとして提供するサービスを登録することもできる。この場合、システム１０２は、インセンティブを提供するための各種処理を実行するプログラムを、サービス内容として入力する。入力された情報はインセンティブ管理ＤＢ１２５に登録される。なお、プログラムの代わりに、サービス内容及び第１インセンティブとして提供する旨が入力されてもよい。この場合、アクセス制御部１１３は、親子健康調査支援システム１００の管理者に通知する。管理者は、通知に応じてプログラムを修正し、インセンティブ管理ＤＢ１２５を更新する。
【０１３５】
図１７は、実施例１の親子健康調査支援システム１００が実行する健康調査データアクセス制御処理の一例を説明するフローチャートである。
【０１３６】
親子健康調査支援システム１００は、システム１０２から健康調査データ取得要求を受信した場合、健康調査データアクセス制御処理を開始する。健康調査データ取得要求には、サービス提供者の識別情報と、取得条件とが含まれる。取得条件は、取得する健康調査データを指定する条件であって、例えば、時間範囲、ユーザの識別情報、及びデータ種別等である。
【０１３７】
アクセス制御部１１３は、サービス提供者管理ＤＢ１２３を参照し、サービス提供者のアクセス権限を確認する（ステップＳ６０１）。健康調査データ管理ＤＢ１２１へのアクセス権限が付与されていない場合、アクセス制御部１１３はシステム１０２にエラーを通知する。ここでは、健康調査データ管理ＤＢ１２１へのアクセス権限が付与されているものとする。
【０１３８】
アクセス制御部１１３は、アクセス権限及び取得条件に基づいて、健康調査データ管理ＤＢ１２１から健康調査データを取得する（ステップＳ６０２）。
【０１３９】
このとき、アクセス制御部１１３は、健康調査データの匿名化を目的とした加工処理等を実行してもよい。
【０１４０】
アクセス制御部１１３は、健康調査データ取得要求の送信元のシステム１０２に、取得した健康調査データを送信する（ステップＳ６０３）。その後、アクセス制御部１１３は健康調査データアクセス制御処理を終了する。
【０１４１】
システム１０２は、取得した健康調査データを用いて分析処理を実行する。例えば、システム１０２は、アンケート回答等から把握できるユーザの外出時間及び外出場所と、外出時の天気とに基づいて、ユーザの日光浴の時間又は紫外線量等を算出し、さらに、ユーザの日光浴の時間又は紫外線量等に基づいて、ビタミンＤ保有量の推定値を算出する。なお、ユーザの外出場所は、ユーザから入力されたＧＰＳ情報に基づいて把握してもよい。また、外出時の天気は、天気に関する情報を提供する外部システムから取得してもよい。
【０１４２】
図１８は、実施例１の親子健康調査支援システム１００が実行する分析結果受信処理の一例を説明するフローチャートである。
【０１４３】
親子健康調査支援システム１００は、システム１０２から分析結果データを受信した場合、分析結果受信処理を開始する。分析結果データには、サービス提供者の識別情報と、ユーザＩＤと、分析結果とが含まれる。
【０１４４】
分析結果提供部１１２は、分析結果データを送信するモバイル端末１０１を特定する（ステップＳ７０１）。具体的には以下のような処理が実行される。
【０１４５】
分析結果提供部１１２は、ユーザＩＤを含む端末検索要求をアクセス制御部１１３に出力する。
【０１４６】
アクセス制御部１１３は、協力者管理ＤＢ１２０を参照し、ユーザＩＤ３０１に、端末検索要求に含まれるユーザＩＤが設定されたレコードを検索する。アクセス制御部１１３は、検索されたレコードの端末ＩＤ３０３に格納される端末ＩＤを読み出し、分析結果提供部１１２に出力する。以上がステップＳ７０１の処理の説明である。
【０１４７】
分析結果提供部１１２は、特定されたモバイル端末１０１に、分析結果データを送信する（ステップＳ７０２）。また、分析結果提供部１１２は、分析結果データをインセンティブ提供部１１１に出力する。
【０１４８】
インセンティブ提供部１１１は、適用キー変換情報を参照して、分析結果データに含まれる分析結果の内容に対応する適用キーを取得する（ステップＳ７０３）。
【０１４９】
インセンティブ提供部１１１は、分析結果に含まれる数値又は文字列を分析することによって、分析結果の内容を特定する。例えば、分析結果に、栄養素Ａの摂取量と、当該栄養素Ａの不足を示すアラートとが含まれる場合、インセンティブ提供部１１１は、分析結果の内容として「栄養素Ａの不足」を出力する。
【０１５０】
インセンティブ提供部１１１は、分析結果の内容に基づいて、提供可能なインセンティブが存在するか否かを判定する（ステップＳ７０４）。具体的には以下のような処理が実行される。
【０１５１】
インセンティブ提供部１１１は、適用キーを含むサービス検索要求をアクセス制御部１１３に出力する。
【０１５２】
アクセス制御部１１３は、サービス管理ＤＢ１２４を参照し、適用キー７０４に、サービス検索要求に含まれる適用キーが格納されるレコードを検索する。アクセス制御部１１３は、検索結果をインセンティブ提供部１１１に出力する。
【０１５３】
インセンティブ提供部１１１は、適用キーに該当するレコードが存在する場合、提供可能なインセンティブが存在すると判定する。以上がステップＳ７０４の処理の説明である。
【０１５４】
適用可能なインセンティブが存在しない場合、インセンティブ提供部１１１は分析結果受信処理を終了する。
【０１５５】
適用可能なインセンティブが存在する場合、インセンティブ提供部１１１は、インセンティブ決定処理を実行する（ステップＳ７０５）。ステップＳ７０５の処理はステップＳ２０４の処理と同様の処理である。ただし、インセンティブ提供部１１１によって呼び出されたプログラムが実行する処理が異なる。
【０１５６】
起動指示を受け付けたプログラムは、適用キーを含むサービス検索要求をアクセス制御部１１３に出力する。
【０１５７】
アクセス制御部１１３は、適用キー８０２に、サービス検索要求に含まれる適用キーが格納されるレコードを検索する。アクセス制御部１１３は、検索されたレコードをプログラムに出力する。
【０１５８】
プログラムは、受信したレコードを用いて、親及び子どもの少なくともいずれかの健康改善に有用な付加情報を生成する。プログラムは、生成された付加情報をインセンティブ提供部１１１に出力する。
【０１５９】
インセンティブ提供部１１１は、特定されたモバイル端末１０１に、第２インセンティブとして付加情報を送信する（ステップＳ７０６）。その後、インセンティブ提供部１１１は分析結果受信処理を終了する。
【０１６０】
ここで、インセンティブ提供部１１１によって呼び出されたプログラムが生成する付加情報の一例について説明する。
【０１６１】
（１）親子健康調査支援システム１００が運動不足を示す分析結果データを受信した場合、プログラムは、運動不足を解消するための付加情報を生成する。例えば、以下のような処理を実行することによって付加情報が生成される。
【０１６２】
プログラムは、適用キーに関連付けられるサービスを提供するシステム１０２を利用して、ユーザの居住地周辺の地図情報及びイベント情報を取得する。イベント情報は、工事計画及び農薬散布計画等、地域に関連するイベントの情報である。地図情報は、地図を提供するサービス提供者から取得できる。工事計画及び農薬散布計画等のイベントの情報は、自治体、建設会社、及び農業組合等から取得できる。
【０１６３】
プログラムは、地図情報及びイベント情報に基づいて、ウォーキングの経路を生成し、生成された経路を格納する付加情報を生成する。
【０１６４】
（２）親子健康調査支援システム１００が栄養素の不足を示す分析結果データを受信した場合、プログラムは、栄養素を補給するための商品及び栄養素を補うための食事を提供する飲食店を示す付加情報を生成する。例えば、以下のような処理を実行することによって付加情報が生成される。
【０１６５】
プログラムは、適用キーに関連付けられる商品及び飲食店を表示する付加情報を生成する。このとき、プログラムは、ユーザの居住地周辺の地図情報を生成し、地図に商品の販売地及び飲食店の場所と、商品及びメニューの内容とを示す付加情報を生成してもよい。
【０１６６】
（３）親子健康調査支援システム１００が栄養素の不足を示す分析結果データを受信した場合、プログラムは、栄養素を補うための献立又は改善方法を示す付加情報を生成する。例えば、以下のような処理を実行することによって付加情報が生成される。
【０１６７】
プログラムは、適用キーに関連付けられるサービスを提供するシステム１０２に、不足している栄養素を含む提供要求を送信する。プログラムは、システム１０２から献立又は改善方法の情報を受信し、当該献立又は改善方法を示す付加情報を生成する。
【０１６８】
親子健康調査支援システム１００は、分析結果に応じて、親子の健康の改善に有用な付加情報を第２インセンティブとして提供する。これによって、新規ユーザの利用及び既存ユーザの継続的な利用を促進することができる。
【０１６９】
親子健康調査支援システム１００は、サービス提供者のサービス種別に応じた健康調査データ等を提供できる。これによって、サービス提供者は、研究、商品開発、及びサービスの創出等が可能となる。また、サービス提供者は、親子健康調査支援システム１００にサービスを登録することによって、ターゲットとするユーザに対してサービスの提供でき、又は、サービス提供の機会を得ることができる。このように、サービス提供者にとってもメリットが存在するため、親子健康調査支援システム１００を介して利用可能なサービスの増加が期待できる。利用可能なサービスの増加によって、新規ユーザの利用及び既存ユーザの継続的な利用を促進することができる。
【０１７０】
なお、本発明は上記した実施例に限定されるものではなく、様々な変形例が含まれる。また、例えば、上記した実施例は本発明を分かりやすく説明するために構成を詳細に説明したものであり、必ずしも説明した全ての構成を備えるものに限定されるものではない。また、各実施例の構成の一部について、他の構成に追加、削除、置換することが可能である。
【０１７１】
また、上記の各構成、機能、処理部、処理手段等は、それらの一部又は全部を、例えば集積回路で設計する等によりハードウェアで実現してもよい。また、本発明は、実施例の機能を実現するソフトウェアのプログラムコードによっても実現できる。この場合、プログラムコードを記録した記憶媒体をコンピュータに提供し、そのコンピュータが備えるプロセッサが記憶媒体に格納されたプログラムコードを読み出す。この場合、記憶媒体から読み出されたプログラムコード自体が前述した実施例の機能を実現することになり、そのプログラムコード自体、及びそれを記憶した記憶媒体は本発明を構成することになる。このようなプログラムコードを供給するための記憶媒体としては、例えば、フレキシブルディスク、ＣＤ−ＲＯＭ、ＤＶＤ−ＲＯＭ、ハードディスク、ＳＳＤ（Ｓｏｌｉｄ  Ｓｔａｔｅ  Ｄｒｉｖｅ）、光ディスク、光磁気ディスク、ＣＤ−Ｒ、磁気テープ、不揮発性のメモリカード、ＲＯＭなどが用いられる。
【０１７２】
また、本実施例に記載の機能を実現するプログラムコードは、例えば、アセンブラ、Ｃ／Ｃ＋＋、ｐｅｒｌ、Ｓｈｅｌｌ、ＰＨＰ、Ｐｙｔｈｏｎ、Ｊａｖａ（登録商標）等の広範囲のプログラム又はスクリプト言語で実装できる。
【０１７３】
さらに、実施例の機能を実現するソフトウェアのプログラムコードを、ネットワークを介して配信することによって、それをコンピュータのハードディスクやメモリ等の記憶手段又はＣＤ−ＲＷ、ＣＤ−Ｒ等の記憶媒体に格納し、コンピュータが備えるプロセッサが当該記憶手段や当該記憶媒体に格納されたプログラムコードを読み出して実行するようにしてもよい。
【０１７４】
上述の実施例において、制御線や情報線は、説明上必要と考えられるものを示しており、製品上必ずしも全ての制御線や情報線を示しているとは限らない。全ての構成が相互に接続されていてもよい。
【符号の説明】
【０１７５】
１００  親子健康調査支援システム
１０１  モバイル端末
１０２  システム
１１０  レベル算出部
１１１  インセンティブ提供部
１１２  分析結果提供部
１１３  アクセス制御部
１１４  表示部
１２０  協力者管理ＤＢ
１２１  健康調査データ管理ＤＢ
１２２  テキスト管理ＤＢ
１２３  サービス提供者管理ＤＢ
１２４  サービス管理ＤＢ
１２５  インセンティブ管理ＤＢ
２００  計算機
２０１  ＣＰＵ
２０２  ネットワークインタフェース
２０３  メモリ
２０４  記憶装置
１０００  データ入力画面
１４００、１６００  登録画面
【図１】
2022000745.tif 000003
【図２】
2022000745.tif 000004
【図３】
2022000745.tif 000005
【図４】
2022000745.tif 000006
【図５】
2022000745.tif 000007
【図６】
2022000745.tif 000008
【図７】
2022000745.tif 000009
【図８】
2022000745.tif 000010
【図９】
2022000745.tif 000011
【図１０】
2022000745.tif 000012
【図１１】
2022000745.tif 000013
【図１２】
2022000745.tif 000014
【図１３】
2022000745.tif 000015
【図１４】
2022000745.tif 000016
【図１５】
2022000745.tif 000017
【図１６】
2022000745.tif 000018
【図１７】
2022000745.tif 000019
【図１８】
2022000745.tif 000020